(57)【要約】【課題】分散型光伝送装置を構成する構成装置間の接続状態を動的に検出し、データベースに登録する。【解決手段】分散型光伝送装置を構成する構成装置間の接続状態をデータベースに登録する制御装置において、接続元の構成装置から光を出力させる設定を行う装置設定部と、前記光を受信する側の各構成装置における各ポートの受光レベルを取得し、受光レベルが他のポートの受光レベルよりも高いポートを特定し、当該特定されたポートを有する構成装置と当該特定のポートを、前記接続元の構成装置の接続先として前記データベースに登録する登録処理部とを備える。【選択図】図２
2020088404.tif 000002
【特許請求の範囲】
【請求項１】
分散型光伝送装置を構成する構成装置間の接続状態をデータベースに登録する制御装置であって、
接続元の構成装置から光を出力させる設定を行う装置設定部と、
前記光を受信する側の各構成装置における各ポートの受光レベルを取得し、受光レベルが他のポートの受光レベルよりも高いポートを特定し、当該特定されたポートを有する構成装置と当該特定のポートを、前記接続元の構成装置の接続先として前記データベースに登録する登録処理部と
を備えることを特徴とする制御装置。
【請求項２】
前記接続元の構成装置は光スイッチであり、前記装置設定部は、当該光スイッチにおける１つのポートから光を出力させる設定を行い、
前記登録処理部は、前記特定されたポートを有する構成装置と前記特定のポートを、前記光スイッチの前記１つのポートの接続先として前記データベースに登録し、
前記光スイッチにおけるポートを変更しながら前記装置設定部による処理と前記登録処理部による処理を繰り返し実行する
請求項１に記載の制御装置。
【請求項３】
前記接続元の構成装置は光スプリッタであり、前記装置設定部による設定により、当該光スプリッタの全ポートから光が出力される
請求項１に記載の制御装置。
【請求項４】
前記装置設定部は、前記接続元の構成装置に接続される光増幅装置を有効化することにより、自然放出光を増幅して得られた光が前記接続元の構成装置に入力されるようにする
請求項１ないし３のうちいずれか１項に記載の制御装置。
【請求項５】
分散型光伝送装置を構成する構成装置間の接続状態をデータベースに登録する制御装置が実行する接続状態登録方法であって、
接続元の構成装置から光を出力させる設定を行う装置設定ステップと、
前記光を受信する側の各構成装置における各ポートの受光レベルを取得し、受光レベルが他のポートの受光レベルよりも高いポートを特定し、当該特定されたポートを有する構成装置と当該特定のポートを、前記接続元の構成装置の接続先として前記データベースに登録する登録処理ステップと
を備えることを特徴とする接続状態登録方法。
【請求項６】
コンピュータを、請求項１ないし４のうちいずれか１項に記載の前記制御装置における各部として機能させるためのプログラム。
【発明の詳細な説明】
【技術分野】
【０００１】
本発明は、構成装置が分散されて存在する分散型の光伝送装置において、構成装置間の接続状態を管理するための技術に関連するものである。
【背景技術】
【０００２】
従来の伝送装置では網をシングルベンダーで構築し、そのベンダー製のＮＭＳ（ネットワーク管理システム）で網を制御することが一般的であったが、近年の技術進歩により伝送網のマルチベンダー化及び伝送装置のＤｉｓａｇｇｒｅｇａｔｉｏｎ（機能分散）化が可能となってきている。
【０００３】
特にＲＯＡＤＭ（reconfigurable optical add/drop multiplexer）においては、今までシャーシ型でトランスポンダー・光スイッチ・アンプ等の機能を全て搭載したＲＯＡＤＭが一般的であったが、各機能を個別の筐体として実現し、それらを組み合わせて一つのＲＯＡＤＭとして動作させるＤｉｓａｇｇｒｅｇａｔｉｏｎ  ＲＯＡＤＭの検討が盛んに行われている。
【０００４】
一方で今までシングルベンダーであったため、網全体を対象ベンダーのＮＭＳによって管理することで各装置が管理されていたのに対して、マルチベンダー構成となった網の統合管理が課題となり、それらを統合管理する手段がＯＳＳプロジェクト（ＯＤＴＮ，ＯｐｅｎＲＯＡＤＭ）で検討されている。（非特許文献１，２）。
【先行技術文献】
【非特許文献】
【０００５】
【非特許文献１】Open and Disaggregated Transport Networks （https://www.lightwaveonline.com/content/dam/lw/Marketing/2017-11-02_OpenDisaggregatedTransportNetworks.pdf）
【非特許文献２】Open ROADM（https://0201.nccdn.net/4_2/000/000/05e/0e7/Open-ROADM-whitepaper-v2_2.pdf）
【発明の概要】
【発明が解決しようとする課題】
【０００６】
近年、伝送装置のＳＤＮ制御及び構成要素の分散化（Ｄｉｓａｇｇｒｅｇａｔｉｏｎ）が議論されている。実際にＳＤＮ制御用のオープンＡＰＩを持つ製品や、構成要素（ＷＳＳ（光スイッチ）部やＡＭＰ部）ごとに独立した製品が販売されだしており、効果的な制御の手法が求められている。
【０００７】
特にＤｉｓａｇｇｒｅｇａｔｉｏｎ  ＲＯＡＤＭの制御においては、従来は１装置を制御すればよかったのに対し、Ｄｉｓａｇｇｒｅｇａｔｉｏｎ  ＲＯＡＤＭを構成する全装置を個別に制御する必要がある。
【０００８】
Ｄｉｓａｇｇｒｅｇａｔｉｏｎ  ＲＯＡＤＭを制御するためには、コントローラ（ＳＤＮコントローラやＮＭＳ）がＤｉｓａｇｇｒｅｇａｔｉｏｎ  ＲＯＡＤＭを構成する全装置及び構成装置同士の配線情報（接続状態）を登録情報としてデータベースに持つ必要がある。そのイメージを図１に示す。
【０００９】
しかし、ＲＯＡＤＭの方路が増えるほどに構成装置の台数も増加し、配線情報も複雑で膨大な数となっていき、データベースへの登録が難しくなるという課題がある。
【００１０】
本発明は上記の点に鑑みてなされたものであり、分散型光伝送装置を構成する構成装置間の接続状態を動的に検出し、データベースに登録することを可能とする技術を提供することを目的とする。
【課題を解決するための手段】
【００１１】
開示の技術によれば、分散型光伝送装置を構成する構成装置間の接続状態をデータベースに登録する制御装置であって、
接続元の構成装置から光を出力させる設定を行う装置設定部と、
前記光を受信する側の各構成装置における各ポートの受光レベルを取得し、受光レベルが他のポートの受光レベルよりも高いポートを特定し、当該特定されたポートを有する構成装置と当該特定のポートを、前記接続元の構成装置の接続先として前記データベースに登録する登録処理部
を備えることを特徴とする制御装置が提供される。
【発明の効果】
【００１２】
開示の技術によれば、分散型光伝送装置を構成する構成装置間の接続状態を動的に検出し、データベースに登録することを可能とする技術が提供される。
【図面の簡単な説明】
【００１３】
【図１】課題を説明するための図である。
【図２】実施の形態の概要を説明するための図である。
【図３】第１の実施の形態におけるシステム構成図である。
【図４】コントローラの機能構成図である。
【図５】コントローラのハードウェア構成図である。
【図６】第１の実施の形態における処理手順を示すフローチャートである。
【図７】第１の実施の形態におけるＲＯＡＤＭ内部接続状態ＤＢに格納される情報の例を示す図である。
【図８】第２の実施の形態におけるシステム構成図である。
【図９】第２の実施の形態における処理手順を示すフローチャートである。
【図１０】第２の実施の形態におけるＲＯＡＤＭ内部接続状態ＤＢに格納される情報の例を示す図である。
【発明を実施するための形態】
【００１４】
以下、図面を参照して本発明の実施の形態を説明する。以下で説明する実施の形態は一例に過ぎず、本発明が適用される実施の形態は、以下の実施の形態に限られるわけではない。以下の実施の形態では、分散型光伝送装置の例としてＤｉｓａｇｇｒｅｇａｔｉｏｎ  ＲＯＡＤＭを挙げて説明しているが、本発明は、Ｄｉｓａｇｇｒｅｇａｔｉｏｎ  ＲＯＡＤＭに限らず、他の種類の伝送装置にも適用可能である。
【００１５】
（実施の形態の概要）
本実施の形態では、Ｄｉｓａｇｇｒｅｇａｔｉｏｎ  ＲＯＡＤＭを構成するＷＳＳ部（光スイッチ：Ｗａｖｅｌｅｎｇｔｈ  Ｓｅｌｅｃｔｉｖｅ  Ｓｗｉｔｃｈ）とＡＭＰ部（光増幅装置）をコントローラから制御することで、ＷＳＳ部同士の接続状態を自動検出し、データベースに登録する。
【００１６】
図２を参照して自動検出処理の概要を説明する。図２には、コントローラ２０と、Ｄｉｓａｇｇｒｅｇａｔｉｏｎ  ＲＯＡＤＭを構成するＡＭＰ部１、ＷＳＳ部２、ＷＳＳ部３、ＡＭＰ部４が示されている。
【００１７】
図２に示す例では、Ｓ１（ステップ１）において、コントローラ２０がＡＭＰ部１の光増幅装置（ＡＭＰ５）を有効化し、自然放出光を増幅して光源とするＡＳＥ（Amplified Spontaneous Emission）光源を用いることで、接続されているＷＳＳ部２のＷＳＳ６へと光の入力を行う。Ｓ２において、コントローラ２０は、ＷＳＳ６のどのポートから光を出力するかを設定する。
【００１８】
Ｓ３において、コントローラ２０は、ＷＳＳ部３のＷＳＳ７おける全接続ポートの光レベルをモニターし受光を確認することで、ＷＳＳ部同士の接続状態を検出する。本実施の形態では、ＡＳＥを利用することで特別な試験光装置なしに、ＷＳＳで受光を確認できる。
【００１９】
上記手順を全ＷＳＳ部の全ポートに対して実施することでＤｉｓａｇｇｒｅｇａｔｉｏｎ  ＲＯＡＤＭの内部接続状況をコントローラ２０のデータベースに登録することができる。
【００２０】
ＷＳＳ部は１ｘＮのＷＳＳをＩＮ／Ｏｕｔの両系に持つ装置と、ＷＳＳをＩＮ側にだけ持ちＯＵＴ側はＳｐｌｉｔｔｅｒを持つ２種類のパターンがある。本発明に係る技術により、いずれのパターンを用いる場合でも、Ｄｉｓａｇｇｒｅｇａｔｉｏｎ  ＲＯＡＤＭのＷＳＳ部同士の接続状況の自動検出が可能である。
【００２１】
以下、実施の形態をより詳細に説明する。Ｒｏｕｔｅ  ａｎｄ  ＳｅｌｅｃｔモデルのＤｉｓａｇｇｒｅｇａｔｉｏｎ  ＲＯＡＤＭを使用する場合の例を第１の実施の形態として説明し、Ｂｒｏａｄｃａｓｔ  ａｎｄ  ＳｅｌｅｃｔモデルのＤｉｓａｇｇｒｅｇａｔｉｏｎ  ＲＯＡＤＭを使用する場合の例を第２の実施の形態として説明する。なお、ＷＳＳ部が１ｘＮのＷＳＳをＩＮ／Ｏｕｔの両系に持つ構成がＲｏｕｔｅ  ａｎｄ  Ｓｅｌｅｃｔモデルに対応し、ＷＳＳをＩＮ側にだけ持ちＯＵＴ側はＳｐｌｉｔｔｅｒを持つ構成がＢｒｏａｄｃａｓｔ  ａｎｄ  Ｓｅｌｅｃｔモデルに対応する。
【００２２】
（第１の実施の形態）
＜システム構成＞
図３に、第１の実施の形態におけるシステム構成図を示す。図３に示すように、本システムは、Ｄｉｓａｇｇｒｅｇａｔｉｏｎ  ＲＯＡＤＭ１０とコントローラ２０を備え、これらがネットワークで接続される構成を有する。また、データベース装置であるＲＯＡＤＭ内部接続状態ＤＢ２１が備えられており、コントローラ２０は当該ＲＯＡＤＭ内部接続状態ＤＢ２１に対してデータの読み書きが可能である。ＲＯＡＤＭ内部接続状態ＤＢ２１は、コントローラ２０の内部に存在してもよいし、外部に存在してもよい。
【００２３】
Ｄｉｓａｇｇｒｅｇａｔｉｏｎ  ＲＯＡＤＭ１０は、ＷＳＳ部１１０、２１０、３１０、ＡＭＰ部１２０、２２０、３２０を有する。各ＡＭＰ部は、入力側ＡＭＰと出力側ＡＭＰを備え、各ＷＳＳ部は、入力側の１×ＮのＷＳＳと出力側の１×ＮのＷＳＳを備える。各ＷＳＳは１番からＮ番のポートを有する。なお、ＷＳＳは光スイッチの例である。ＡＭＰは光増幅装置の例である。
【００２４】
図４は、コントローラ２０の機能構成図である。図４は、コントローラ２０がＲＯＡＤＭ内部接続状態ＤＢ２１を有する例を示している。
【００２５】
図４に示すとおり、コントローラ２０は、ＲＯＡＤＭ内部接続状態ＤＢ２１、Ｄｉｓａｇｇｒｅｇａｔｉｏｎ  ＲＯＡＤＭ１０を構成する各構成装置に対する設定等を行う装置設定部２２、ポートのモニター結果である受光レベルに基づいて配線情報の登録を行う登録処理部２３、処理手順の制御等を行う制御部２４を含む。なお、コントローラ２０の動作の詳細は後述する。コントローラ２０を制御装置と称してもよい。
【００２６】
コントローラ２０は、例えば、コンピュータに、本実施の形態で説明する処理内容を記述したプログラムを実行させることにより実現可能である。
【００２７】
すなわち、コントローラ２０は、コンピュータに内蔵されるＣＰＵやメモリ等のハードウェア資源を用いて、コントローラ２０で実施される処理に対応するプログラムを実行することによって実現することが可能である。上記プログラムは、コンピュータが読み取り可能な記録媒体（可搬メモリ等）に記録して、保存したり、配布したりすることが可能である。また、上記プログラムをインターネットや電子メール等、ネットワークを通して提供することも可能である。
【００２８】
図５は、本実施の形態における上記コンピュータのハードウェア構成例を示す図である。図５のコンピュータは、それぞれバスＢで相互に接続されているドライブ装置２５０、補助記憶装置２５２、メモリ装置２５３、ＣＰＵ２５４、インタフェース装置２５５、表示装置２５６、及び入力装置２５７等を有する。
【００２９】
当該コンピュータでの処理を実現するプログラムは、例えば、ＣＤ−ＲＯＭ又はメモリカード等の記録媒体２５１によって提供される。プログラムを記憶した記録媒体２５１がドライブ装置２５０にセットされると、プログラムが記録媒体２５１からドライブ装置２５０を介して補助記憶装置２５２にインストールされる。但し、プログラムのインストールは必ずしも記録媒体２５１より行う必要はなく、ネットワークを介して他のコンピュータよりダウンロードするようにしてもよい。補助記憶装置２５２は、インストールされたプログラムを格納すると共に、必要なファイルやデータ等を格納する。
【００３０】
メモリ装置２５３は、プログラムの起動指示があった場合に、補助記憶装置２５２からプログラムを読み出して格納する。ＣＰＵ２５４は、メモリ装置２５３に格納されたプログラムに従って、コントローラ２０に係る機能を実現する。インタフェース装置２５５は、ネットワークに接続するためのインタフェースとして用いられる。表示装置２５６はプログラムによるＧＵＩ（Ｇｒａｐｈｉｃａｌ  Ｕｓｅｒ  Ｉｎｔｅｒｆａｃｅ）等を表示する。入力装置２５７はキーボード及びマウス、ボタン、又はタッチパネル等で構成され、様々な操作指示を入力させるために用いられる。
【００３１】
＜システムの動作＞
次に、図６に示すフローチャートの手順に沿って、図３に示した第１の実施の形態におけるシステムの動作を説明する。
【００３２】
Ｓ１０１において、Ｄｉｓａｇｇｒｅｇａｔｉｏｎ  ＲＯＡＤＭ１０を構成するＷＳＳ部１１０、２１０、３１０とＡＭＰ部１２０、２２０、３２０のセット及びＷＳＳ部のポート数をコントローラ２０に入力することで、ＲＯＡＤＭ内部接続状態ＤＢ２１に構成装置情報を持たせる。ＲＯＡＤＭ内部接続状態ＤＢ２１に格納される構成装置情報の例を図７に示す。
【００３３】
Ｓ１０２において、コントローラ２０の装置設定部２２は、登録されたＡＭＰ部のうちの１台のＡＭＰ部１２０の入力側のＡＭＰ１２１を有効にする。これによりＡＳＥが増幅され、有効化したＡＭＰ部１２０とセットで登録されているＷＳＳ部１１０の入力側のＷＳＳ１１１に光が入力される。
【００３４】
Ｓ１０３において、コントローラ２０の装置設定部２２は、ＷＳＳ１１１の１番ポートに特定の波長を通す設定を投入する。これによりＷＳＳ１１１の１番ポートから光が出力される。
【００３５】
Ｓ１０４において、コントローラ２０の登録処理部２３は、設定を投入したＷＳＳ部１１０以外の全てのＷＳＳ部２１０、３１０のＷＳＳ２１２、３１２の全ポートのモニター出力を取得し、受光レベルが他のポートに比べ明確に高いポートを特定し、当該ポートをＲＯＡＤＭ内部接続状態ＤＢ２１に接続元ＷＳＳ１１１の接続元ポート１の接続先ＷＳＳ・接続先ＷＳＳポートとして登録する。受光レベルが明確に高いポートがなかった場合は接続先無しとしてＮｕｌｌを登録する。
【００３６】
なお、受光レベルが他のポートに比べ明確に高いポートとは、例えば、受光レベルが最も高いポートであって、その受光レベルと、受光レベルが最も低いポートの受光レベルとの差分が所定の閾値以上のポートである。ただし、これは一例に過ぎない。
【００３７】
Ｓ１０５において、コントローラ２０の装置設定部２２は、ＷＳＳ１１１に投入した設定を削除する。これによりＷＳＳ１１１の１番ポートから光が出力されなくなる。
【００３８】
次に、制御部２４の制御により、Ｓ１０３におけるＷＳＳ１１１の設定するポート番号を２からＮ番ポートまで順番に変更しながらＳ１０３〜１０５を繰り返し実行する（Ｓ１０６）。これによりＷＳＳ１１１の全ポートの接続先の情報をＲＯＡＤＭ内部接続状態ＤＢ２１に登録できる。
【００３９】
Ｓ１０７において、コントローラ２０の装置設定部２２は、Ｓ１０２で有効にしたＡＭＰ１２１の設定を無効にする。コントローラ２０は、制御部２４の制御により、Ｓ１０２〜Ｓ１０７をまだ実行していないＷＳＳ部２１０、３１０のそれぞれに対し、Ｓ１０２〜Ｓ１０７を実行する（Ｓ１０８）。
【００４０】
以上の処理の結果として得られるＷＳＳの接続先ポート情報の例を図７に示す。
【００４１】
（第２の実施の形態）
＜システム構成＞
図８に、第２の実施の形態におけるシステム構成図を示す。図８に示すように、Ｄｉｓａｇｇｒｅｇａｔｉｏｎ  ＲＯＡＤＭ１０とコントローラ２０を備え、これらがネットワークで接続される構成を有する。また、データベース装置であるＲＯＡＤＭ内部接続状態ＤＢ２１が備えられており、コントローラ２０は当該ＲＯＡＤＭ内部接続状態ＤＢ２１に対してデータの読み書きが可能である。ＲＯＡＤＭ内部接続状態ＤＢ２１は、コントローラ２０の内部に存在してもよいし、外部に存在してもよい。
【００４２】
第２の実施の形態では、Ｄｉｓａｇｇｒｅｇａｔｉｏｎ  ＲＯＡＤＭ１０内部の構成が第１の実施の形態と異なる。具体的には、図３、図８に示すとおり、１×ＮのＷＳＳ１１１、２１１、３１１がそれぞれ１×ＮのＳｐｌｉｔｔｔｅｒ１１１、２１１、３１１になる。この点以外は第１の実施の形態と同じである。
【００４３】
コントローラ２０の機能構成（図４）、コントローラ２０がコンピュータとプログラムで実現できる点も第１の実施の形態と同じである。
【００４４】
＜システムの動作＞
次に、図９に示すフローチャートの手順に沿って、第２の実施の形態におけるシステムの動作を説明する。
【００４５】
Ｓ２０１において、Ｄｉｓａｇｇｒｅｇａｔｉｏｎ  ＲＯＡＤＭ１０を構成するＷＳＳ部１１０、２１０、３１０とＡＭＰ部１２０、２２０、３２０のセット及びＷＳＳ部のポート数をコントローラ２０に入力することで、ＲＯＡＤＭ内部接続状態ＤＢ２１に構成装置情報を持たせる。ＲＯＡＤＭ内部接続状態ＤＢ２１に格納される構成装置情報の例を図１０に示す。
【００４６】
Ｓ２０２において、コントローラ２０の装置設定部２２は、登録されたＡＭＰ部のうちの１台のＡＭＰ部１２０の入力側のＡＭＰ１２１を有効にする。これによりＡＳＥが増幅され、有効化したＡＭＰ部とセットで登録されているＷＳＳ部１１０の入力側のＳｐｌｉｔｔｅｒ１１１に光が入力され、Ｓｐｌｉｔｔｅｒ１１１の全ポートより光が出力される。
【００４７】
Ｓ２０３において、コントローラ２０の登録処理部２３は、設定を投入したＷＳＳ部１１０以外の全てのＷＳＳ部２１０、３１０のＷＳＳ２１２、３１２の全ポートのモニター出力を取得し、受光レベルが他のポートに比べ明確に高いポートを特定し、当該ポートをＲＯＡＤＭ内部接続状態ＤＢ２１に接続元ＷＳＳ１１１の接続先ＷＳＳ・接続先ＷＳＳポートとして登録する。
【００４８】
受光レベルが他のポートに比べ明確に高いポートとは、例えば、そのポートの受光レベルと、受光レベルが最も低いポートの受光レベルとの差分が所定の閾値以上のポートである。ただし、これは一例に過ぎない。
【００４９】
受光レベルが明確に高いポートが複数ある場合は当該複数のポートを全部、接続先ＷＳＳ・接続先ＷＳＳポートとして登録する。受光レベルが明確に高いポートがなかった場合は接続先無しとしてＮｕｌｌを登録する。
【００５０】
Ｓ２０４において、コントローラ２０の装置設定部２２は、Ｓ２０２で有効にしたＡＭＰ１２１の設定を無効にする。
【００５１】
コントローラ２０は、Ｓ２０２〜Ｓ２０４をまだ実行していないＷＳＳ部２１０、３１０のそれぞれに対して、Ｓ２０２〜Ｓ２０４を実行する（Ｓ２０５）。
【００５２】
以上の処理の結果として得られるＷＳＳの接続先ポート情報の例を図１０に示す。
【００５３】
（実施の形態の効果）
本発明の実施の形態により、Ｄｉｓａｇｇｒｅｇａｔｉｏｎ  ＲＯＡＤＭをコントローラから制御する際に必要となる内部接続情報を自動的に検出し、登録することが可能となる。この技術を用いることでコントローラへの人手での情報登録が不要になる。また、この技術は、人手での登録情報が間違ってないかの確認テストとしても利用することが可能である。
【００５４】
また、本発明の実施の形態では、自然放出光を利用することで試験光を発する特別な装置なしに光を出力させることが可能である。
【００５５】
（実施の形態のまとめ）
本明細書には、少なくとも下記の事項が記載されている。
（第１項）
分散型光伝送装置を構成する構成装置間の接続状態をデータベースに登録する制御装置であって、
接続元の構成装置から光を出力させる設定を行う装置設定部と、
前記光を受信する側の各構成装置における各ポートの受光レベルを取得し、受光レベルが他のポートの受光レベルよりも高いポートを特定し、当該特定されたポートを有する構成装置と当該特定のポートを、前記接続元の構成装置の接続先として前記データベースに登録する登録処理部
を備えることを特徴とする制御装置。
【００５６】
第１及び第２の実施の形態におけるＤｉｓａｇｇｒｅｇａｔｉｏｎ  ＲＯＡＤＭ１０、及びコントローラ２０はそれぞれ、分散型光伝送装置、及び制御装置の例である。また、受光レベルが他のポートの受光レベルよりも高いポートを特定することは、例えば、前述したように、受光レベルが他のポートの受光レベルよりも明確に高いポートを特定することである。
（第２項）
前記接続元の構成装置は光スイッチであり、前記装置設定部は、当該光スイッチにおける１つのポートから光を出力させる設定を行い、
前記登録処理部は、前記特定されたポートを有する構成装置と前記特定のポートを、前記光スイッチの前記１つのポートの接続先として前記データベースに登録し、
前記光スイッチにおけるポートを変更しながら前記装置設定部による処理と前記登録処理部による処理を繰り返し実行する
第１項に記載の制御装置。
（第３項）
前記接続元の構成装置は光スプリッタであり、前記装置設定部による設定により、当該光スプリッタの全ポートから光が出力される
第１項に記載の制御装置。
（第４項）
前記装置設定部は、前記接続元の構成装置に接続される光増幅装置を有効化することにより、自然放出光を増幅して得られた光が前記接続元の構成装置に入力されるようにする
第１項ないし第３項のうちいずれか１項に記載の制御装置。
（第５項）
分散型光伝送装置を構成する構成装置間の接続状態をデータベースに登録する制御装置が実行する接続状態登録方法であって、
接続元の構成装置から光を出力させる設定を行う装置設定ステップと、
前記光を受信する側の各構成装置における各ポートの受光レベルを取得し、受光レベルが他のポートの受光レベルよりも高いポートを特定し、当該特定されたポートを有する構成装置と当該特定のポートを、前記接続元の構成装置の接続先として前記データベースに登録する登録処理ステップと
を備えることを特徴とする接続状態登録方法。
（第６項）
コンピュータを、第１項ないし第４項のうちいずれか１項に記載の前記制御装置における各部として機能させるためのプログラム。
【００５７】
以上、本実施の形態について説明したが、本発明はかかる特定の実施形態に限定されるものではなく、特許請求の範囲に記載された本発明の要旨の範囲内において、種々の変形・変更が可能である。
【符号の説明】
【００５８】
１０  Ｄｉｓａｇｇｒｅｇａｔｉｏｎ  ＲＯＡＤＭ
２１  ＲＯＡＤＭ内部接続状態ＤＢ
２２  装置設定部
２３  登録処理部
２４  制御部
２５０  ドライブ装置
２５１  記録媒体
２５２  補助記憶装置
２５３  メモリ装置
２５４  ＣＰＵ
２５５  インターフェース装置
２５６  表示装置
２５７  入力装置
【図１】
2020088404.tif 000003
【図２】
2020088404.tif 000004
【図３】
2020088404.tif 000005
【図４】
2020088404.tif 000006
【図５】
2020088404.tif 000007
【図６】
2020088404.tif 000008
【図７】
2020088404.tif 000009
【図８】
2020088404.tif 000010
【図９】
2020088404.tif 000011
【図１０】
2020088404.tif 000012